(57)【要約】      （修正有）【課題】安価でかつ導電性タッチパネルの操作が可能な手袋を提供する。【解決手段】親指袋１と人差指袋２を有する手袋であって、手袋のうち親指袋の先端部１１と人差指袋の先端部２１を除く残部は導電性を有しない繊維の糸で編成され、親指袋の先端部１１と人差指袋の先端部２１は導電性繊維の糸で編成されている。親指袋の先端部１１と人差指袋の先端部２１は通電性を有する。【選択図】図１
0003160211.tif 000002
【実用新案登録請求の範囲】
【請求項１】
親指袋と人差指袋を有する手袋であって、手袋のうち指袋の先端部を除く残部は導電性を有しない繊維の糸で編成した布帛で構成され、
前記指袋の先端部は導電性繊維の糸で編成されている
ことを特徴とする手袋。
【請求項２】
親指袋と人差指袋のそれぞれの先端部が導電性繊維の糸で編成されている
ことを特徴とする請求項１記載の手袋。
【請求項３】
親指袋と人差指袋と中指袋のそれぞれの先端部が導電性繊維の糸で編成されている
ことを特徴とする請求項１記載の手袋。
【請求項４】
親指袋と人差指袋と中指袋と薬指袋のそれぞれの先端部が導電性繊維の糸で編成されている
ことを特徴とする請求項１記載の手袋。
【請求項５】
親指袋と人差指袋と中指袋と薬指袋と小指袋のそれぞれの先端部が導電性繊維の糸で編成されている
ことを特徴とする請求項１記載の手袋。
【請求項６】
親指袋と人差指袋のいずれか一方の先端部が導電性繊維の糸で編成されている
ことを特徴とする請求項１記載の手袋。
【考案の詳細な説明】
【技術分野】
【０００１】
本考案は、手袋に関する。さらに詳しくは、手袋をはいたままで静電式タッチパネルを操作できる手袋に関する。
【背景技術】
【０００２】
最近、静電容量式のタッチパネルを搭載した携帯電話やその他各種の電子機器が増えつつある。
静電式タッチパネルは、パネル表面に指が触れたときの電荷の変化を検出するため、指とパネルとの間に電気を通さない物質があると、うまく操作できない。したがって、非通電性素材で作られた手袋をはいたままでは携帯電話等のタッチパネルを操作することはできない。
もちろん、手袋を外せば携帯電話を操作できるが、寒い屋外では、できることなら手袋を外したくない。
【０００３】
一方、導電性繊維の糸を用いた手袋は、特許文献１のように従来から存在する。この特許文献１の手袋は、精密機器や光学機器等の組立工程、検品、清掃工程等に携わる作業者が着用するのに好適な作業用手袋、あるいはレンズ、宝石、食器、装飾用具等の取扱い、清掃に好適な作業用手袋であって、手の平側や手の甲側の布帛が導電性のフィラメントからなる織物または編物である。
【０００４】
しかるに、導電性繊維は高価であるので、手袋も高価になり、日常生活用の手袋には不適であるという問題がある。
【先行技術文献】
【特許文献】
【０００５】
【特許文献１】特開平１０−３３１０１０号公報
【考案の概要】
【考案が解決しようとする課題】
【０００６】
本考案は上記事情に鑑み、安価で、柔軟で手指を動かしやすく、かつ導電性タッチパネルの操作が可能な手袋を提供することを目的とする。
【課題を解決するための手段】
【０００７】
第１考案の手袋は、親指袋と人差指袋を有する手袋であって、手袋のうち指袋の先端部を除く残部は導電性を有しない繊維の糸で編成した布帛で構成され、前記指袋の先端部は導電性繊維の糸を用いて編成されていることを特徴とする。
第２考案の手袋は、第１考案において、親指袋と人差指袋のそれぞれの先端部が導電性繊維の糸で編成されていることを特徴とする。
第３考案の手袋は、第１考案において、親指袋と人差指袋と中指袋のそれぞれの先端部が導電性繊維で編成されていることを特徴とする。
第４考案の手袋は、第１考案において、親指袋と人差指袋と中指袋と薬指袋のそれぞれの先端部が導電性繊維の糸で編成されていることを特徴とする。
第５考案の手袋は、第１考案において、親指袋と人差指袋と中指袋と薬指袋と小指袋のそれぞれの先端部が導電性繊維の糸で編成されていることを特徴とする。
第６考案の手袋は、第１考案において、親指袋と人差指袋のいずれか一方の先端部が導電性繊維の糸で編成されていることを特徴とする。
【考案の効果】
【０００８】
第１考案によれば、指袋の先端部は導電性繊維の糸を用いて編成されているので、この部分だけでは通電性を有している。したがって、手袋をはいたままの手で導電性タッチパネルを操作したとき、指先部分は電気を通すので、携帯電話等の導電性タッチパネルを作動させることができる。そして、導電性繊維の糸は手袋の一部にしか使用していないので、手袋を安価にでき、しかも様々な素材の手袋を製造することができる。
第２〜第６考案によれば、手袋をはいたまま、いずれかの指でタッチパネルを接触することにより導電性タッチパネルを作動させることができるので、とくに冬期に屋外で携帯電話やその他の電子機器を操作するのに便利である。
【図面の簡単な説明】
【０００９】
【図１】本考案の一実施形態に係る手袋の説明図である。
【図２】本考案の他の実施形態に係る手袋の説明図である。
【考案を実施するための形態】
【００１０】
つぎに、本考案の第１実施形態を図面に基づき説明する。
図１において、Ｇは手袋であり、通常の手袋と同様に手の甲と手の平を覆う本体部につなげて親指袋１と人差指袋２を有している。中指袋と薬指袋と小指袋は、別々の指袋になったものも、一体の指袋になったものも、本考案に含まれる。
【００１１】
上記手袋Ｇにおける親指袋１と人差指袋２の先端部１１，２１は、導電性繊維の糸で編成されている。この先端部１１，２１以外の部分は全て、非導電性の安価な繊維の糸で編成されている。
【００１２】
導電性繊維としては、特に制限なく広い範囲のものから選択でき、例えば、繊維の芯部にカーボンブラック、金属（例えば、銅や銀）、金属酸化物等の導電物質を含有する芯鞘型複合紡糸繊維や、繊維表面に金属（例えば、銅や銀）を蒸着したもの、さらに金属繊維や炭素繊維、イオン導電性ポリマーからなる繊維等の導電性材料からなるもの等の公知の導電性繊維を使用できる。
【００１３】
非導電性の安価な繊維の糸としては、一般に使われているアクリル系やナイロン系などを、とくに制限なく用いることができる。
【００１４】
本考案の手袋には、伸び縮みのしない布地ではなく、伸縮性のある繊維の糸を編機で編んだニット製等の伸縮の効く編物地が使われている。伸び縮みすることにより、手にはいたとき、自由に手の平や５指を動かすことができ、着用感が良くなる。
そして、親指袋１の先端部１１と人差指袋２の先端部２１は導電性繊維の糸で編成されているので、この部分だけでは通電性を有している。したがって、手袋をはいたままの手で携帯電話やその他各種の電子機器の導電性タッチパネルを親指や人差指で、軽くタッチしたり、サッとなでるように接触すると、それだけで接触部位の電荷が変化するので、静電式タッチパネルを備えた携帯電話や各種電子機器などを操作することができる。
【００１５】
本実施形態では、導電性繊維の糸は手袋の一部にしか使用していないので、手袋を安価に製造することができる。したがって、日常の手袋に有用性が高い。
【００１６】
つぎに、本考案の他の実施形態を説明する。
図１の実施形態では、親指袋と人差指袋の両方の先端部１１，２１を導電性としたが、これを親指袋と人差指袋のいずれか一方の先端部が導電性繊維の糸で編成するようにしてもよい。
この場合、手袋をはいた手の親指または人差指で導電性タッチパネルを接触すると、携帯電話やその他各種の電子機器を操作することができる。
【００１７】
さらに、他の実施形態を説明する。
図２（Ａ）に示すように、親指袋１と人差指袋２と中指袋３のそれぞれの先端部１１，２１，３１を導電性繊維の糸で編成してもよい。
この場合、手袋をはいた手の親指、人差指または中指で導電性タッチパネルを接触すると、携帯電話やその他各種の電子機器を操作することができる。
【００１８】
図２（Ｂ）に示すように、親指袋１と人差指袋２と中指袋３と薬指袋４のそれぞれの先端部１１，２１，３１，４１を導電性繊維の糸で編成してもよい。
この場合、手袋をはいた手の親指、人差指、中指または薬指で導電性タッチパネルを接触すると、携帯電話やその他各種の電子機器を操作することができる。
【００１９】
図２（Ｃ）に示すように、親指袋１と人差指袋２と中指袋３と薬指袋４と小指袋５のそれぞれの先端部１１，２１，３１，４１，５１を導電性繊維の糸で編成してもよい。
この場合、手袋をはいた手の親指、人差指、中指、薬指または小指で導電性タッチパネルを接触すると、携帯電話やその他各種の電子機器を操作することができる。
【００２０】
上記各実施形態において、各指袋１〜５の先端部１１〜５１は、導電性繊維の糸のみを使って編成してもよく、導電性繊維の糸と非導電性繊維の糸を混合して編成してもよい。
なお、図１および図２における先端部１１〜５１の点線は、糸の向きを示すものではなく、先端部以外の本体との区別を示すだけであるので、糸の向きは縦でも横でも斜めでもよい。
また、導電性繊維の糸で編む部分は、先端部１１〜５１における指先の爪側と腹側の両方を含んでいてもよく、腹側のみであってもよい。
【００２１】
上記各実施形態の手袋においても、導電性繊維の糸は手袋の一部にしか使用していないので、手袋を安価に製造することができる。しかも、非導電性繊維の糸としては様々な繊維を採用できるので、多様性のあるニット製手袋を製造できる。したがって、日常の手袋に有用性が高い。
【符号の説明】
【００２２】
１    親指袋
２    人差指袋
１１    先端部
２１    先端部
【図１】
0003160211.tif 000003
【図２】
0003160211.tif 000004